(57)【要約】　　　（修正有）【課題】上着を着たとき、肩から背中がぴったりフィットする。【解決手段】芯地を前身頃側の前面肩甲骨が位置する付近に相当する部位と後身頃側の肩部より背面肩甲骨が位置する付近に相当する部位とを左右方向にそれぞれをつまむためのつまみ分量５，６をそれぞれ有するように裁断する。この芯地を上着の上記部分に配置し、つまみ分量５，６だけ左右方向にそれぞれつまんで縫着する。【選択図】　図１
0003097041.tif 000002
【実用新案登録請求の範囲】
【請求項１】
上着の前身頃である肩の一部分Ａから後身頃である肩部Ｂより背中Ｃに至る部分にわたって縫着される芯地であって、上着を着用したとき前身頃側の前面肩甲骨が位置する付近ａに相当する部位と後身頃側の肩部Ｂより背面肩甲骨が位置する付近ｂに相当する部位とを左右方向にそれぞれをつまむためのつまみ分量をそれぞれ有するように裁断されていることを特徴とする上着用作り芯地。
【請求項２】
請求項１記載の芯地を上着の前身頃である肩の一部分Ａから後身頃である肩部Ｂより背中Ｃに至る部分にわたって配置し、前記芯地をつまみ分量だけ左右方向にそれぞれつまんで縫着したことを特徴とする上着。
【考案の詳細な説明】
【０００１】
【考案の属する技術分野】
本考案は、上着の前身頃である肩の一部分Ａから後身頃である肩部Ｂより背中Ｃに至る部分にわたって縫着される芯地ならびにその芯地を縫着した上着に関するものである。
【０００２】
【従来の技術】
背広、ジャケットなどの上着を着用した時は、通常、肩と背中の一部で上着を受け止めているが、特に、前身頃側の前面肩甲骨の部分に負担がかかり、前かがみになったり手を前方に動かすと、後身頃を図６の矢印方向に引っ張る形になり、つっぱって着心地が良くない。それをできるだけ無くすために、従来、前身頃の芯地で前肩処理がなされてきた。また、後身頃側は後身頃の肩の縫線の部分のイセ作業のみで行われてきた。この前肩処理とは、図６の２’で示すように前身頃の芯地１Ｌ’，１Ｒ’の肩部の一部を切り開いて肩先部分を浮かせる処理のことである。
【０００３】
【考案が解決しようとする課題】
しかしながら、この前肩処理をしても充分な成果を得ることは難しく、また、前肩処理をするには、前身頃のくせ取りや後身頃の肩の縫線の部分のイセ込みなど極めて高度な技術を要するので、熟練工でも完璧なものは難しく、しばしば肩線３’部分にねじれたような波状のしわができる。
本考案は、従来のように前身頃の芯地１Ｌ’，１Ｒ’の肩部の一部を切り開くのではなく、逆に、上着を着用したとき前身頃側の前面肩甲骨が位置する付近ａに相当する部位と後身頃側の肩部Ｂより背面肩甲骨が位置する付近ｂに相当する部位とに、ダーツを入れることによって、従来のような前肩処理をしなくても、換言すると、前身頃のための芯地に前肩にするための細工をしなくても、前身頃である肩の一部分Ａから後身頃である肩部Ｂより背中Ｃに至る部分がその形にぴったり合うように工夫して従来の欠点を解消し得るようにしたものである。
【０００４】
【課題を解決するための手段】
本考案の芯地は上着Ｊの前身頃である肩の一部分Ａから後身頃である肩部Ｂより背中Ｃに至る部分にわたって縫着されるものであって、上着Ｊの前身頃である肩の一部分Ａから後身頃である肩部Ｂより背中Ｃに至る部分にわたって芯地を縫着することはいまだかって無かった新規な考えである。そして、上記目的を達成するために、本考案では、上着Ｊを着用したとき前身頃側の前面肩甲骨が位置する付近ａに相当する部位と後身頃側の肩部Ｂより背面肩甲骨が位置する付近ｂに相当する部位とを左右方向にそれぞれをつまむためのつまみ分量をそれぞれ有するように裁断してある。
【０００５】
この芯地は、上着Ｊの前身頃である肩の一部分Ａから後身頃である肩部Ｂより背中Ｃに至る部分にわたって配置することができる。そして、前記芯地のつまみ分量だけ左右方向にそれぞれをつまんで縫着することができる。左右方向にそれぞれの芯地１Ｌ，１Ｒをつまんだ部分を図１（ｂ）、図２（ｂ）、図３（ｂ）において、図面符号５’，６’，７’，８’，９’，１０’で示す。
このような縫製方法を採ることにより、上着Ｊの前身頃側において前記ａ付近の表生地を前記つまみ分量だけ浮かすことができるとともに、上着Ｊの後身頃側の肩部Ｂより背中Ｃに至る表生地が前記つまみ分量だけ後身頃に余裕を生じ、肩先への引っ張りが緩和されるので、図４、図５の矢印で示すように表生地が肩の前部の方に移動せしめられることになる。従って、着用時背中の形にぴったりとフィットし、従来の場合のようにその部分が引っ張られることのない上着とすることができる。
【０００６】
一方、本考案の上着Ｊには、この上着Ｊを着用したとき前身頃側の前面肩甲骨が位置する付近ａに相当する部位と後身頃側の肩部Ｂより背面肩甲骨が位置する付近ｂに相当する部位とを左右方向にそれぞれをつまむためのつまみ分量をそれぞれ有するように裁断された芯地が用いられている。そして、本考案の上着Ｊは、この芯地を上着Ｊの前身頃である肩の一部分Ａから後身頃である肩部Ｂより背中Ｃに至る部分にわたって配置し、図１（ｂ）、図２（ｂ）、図３（ｂ）において図面符号５’，６’、７’、８’、９’、１０’で示す部分をつまみ分量だけ左右方向にそれぞれつまんで縫着されている。
この上着Ｊを着用した場合には、前身頃側においてその前面肩甲骨が位置する付近ａの表生地をつまみ分量だけ浮かすことができるとともに、後身頃側の肩部Ｂより背中Ｃに至る表生地がつまみ分量だけ後身頃に余裕を生じ、肩先への引っ張りが緩和されるので、図４、図５の矢印で示すように表生地が肩の前部の方に移動せしめられることになる。従って、着用時背中の形にぴったりとフィットし、従来の場合のようにその部分が引っ張られることがない。
【０００７】
【考案の実施の形態】
本考案の好ましい実施の形態を、図１〜図５に基いて詳細に説明する。
本考案の芯地は上着Ｊの前身頃である肩の一部分Ａから後身頃である肩部Ｂより背中Ｃに至る部分全面にわたって縫着される。上着Ｊの前身頃である肩の一部分Ａから後身頃である肩部Ｂより背中Ｃに至る部分全面にわたって、体型に合わせるように切り込みを入れる等の工夫をした芯地を縫着することはいまだかって無く、画期的なことである。
図１〜図３に、本考案の芯地の一例を示す。図１〜図３の右側に左側用の芯地を、図１〜図３の左側に右側用の芯地を示す。２枚の芯地１Ｌ，１Ｒは左右の体型が著しく変わっている場合にはその人の体型に合わせてそれぞれが裁断されるが、ここでは左右対称形とした場合を例示してある。上着Ｊの前身頃である肩の一部分Ａから後身頃である肩部Ｂより背中Ｃに至る部分全面にわたって左側と右側とにそれぞれ縫着されるものであるから、それに適した形にそれぞれが裁断されている。
【０００８】
図１（ａ）に示す左側用と右側用のそれぞれの芯地１Ｌ，１Ｒは、袖グリ側３から襟グリ側２に向けて肩線４に沿って所定長さ切り込んであり、その切込線を終点として芯地１Ｌ，１Ｒの前側（図１において、肩線４より下側）を左右方向につまむためのつまみ分量５を有するように裁断されている。
図１（ａ）において、一点鎖線５１は谷折線、一点鎖線５２は山折線、一点鎖線５３は前記谷折線５１に対して山折線５２と対称的な所に位置する線で、一点鎖線５２で山折りした生地の稜線を一点鎖線５３上に重ねることにより、図１（ｂ）において図面符号５’で示すようにつまむことができる。そして、この場合のつまみ分量５は、図１（ａ）においてＧ、Ｈ、Ｉより内側への点線で示す量である。
【０００９】
また、襟グリ側２から袖グリ側３に向けて肩線４に沿って所定長さ切り込んであり、その切込線を終点として芯地１Ｌ，１Ｒの後側（図１において、肩線４より上側）を左右方向につまむためのつまみ分量６を有するように裁断されている。
図１（ａ）において、一点鎖線６１は谷折線、一点鎖線６２は山折線、一点鎖線６３は前記谷折線６１に対して山折線６２と対称的な所に位置する線で、一点鎖線６２で山折りした生地の稜線を一点鎖線６３上に重ねることにより、図１（ｂ）において図面符号６’で示すようにつまむことができる。そして、この場合のつまみ分量６は、図１（ａ）においてＫ、Ｌ、Ｍ、Ｎより内側への点線で示す量である。
【００１０】
また、図２（ａ）に示す左側用と右側用のそれぞれの芯地１Ｌ，１Ｒは、襟グリ側２から袖グリ側３に向けて肩線４の途中が所定長さ切り込んであり、その切込線を始点と終点として芯地１Ｌ，１Ｒの後側（図２において、肩線４より上側）を左右方向につまむためのつまみ分量７を有するように、また、芯地１Ｌ，１Ｒの前側（図２において、肩線４より下側）を左右方向につまむためのつまみ分量８を有するように裁断されている。
図２（ａ）において、一点鎖線７１は谷折線、一点鎖線７２は山折線、一点鎖線７３は前記谷折線７１に対して山折線７２と対称的な所に位置する線で、一点鎖線７２で山折りした生地の稜線を一点鎖線７３上に重ねることにより、図２（ｂ）において図面符号７’で示すようにつまむことができる。そして、この場合のつまみ分量７は、図２（ａ）においてＯ、Ｐ、Ｑ、Ｒより内側への点線で示す量である。
【００１１】
また、図２（ａ）において、一点鎖線８１は谷折線、一点鎖線８２は山折線、一点鎖線８３は前記谷折線８１に対して山折線８２と対称的な所に位置する線で、一点鎖線８２で山折りした生地の稜線を一点鎖線８３上に重ねることにより、図２（ｂ）において図面符号８’で示すようにつまむことができる。そして、この場合のつまみ分量８は、図２（ａ）においてＳ、Ｔ、Ｕより内側への点線で示す量である。
【００１２】
一方、図３（ａ）に示す左側用と右側用のそれぞれの芯地１Ｌ，１Ｒは、袖グリ側３から襟グリ側２に向けて肩線４に沿って所定長さ切り込んであり、その切込線を終点として芯地１Ｌ，１Ｒの後側（図３において、肩線４より上側）を左右方向につまむためのつまみ分量９を有するように、また、前記切込線を始点として芯地１Ｌ，１Ｒの前側（図３において、肩線４より下側）を左右方向につまむためのつまみ分量１０を有するように裁断されている。
図３（ａ）において、一点鎖線９１は谷折線、一点鎖線９２は山折線、一点鎖線９３は前記谷折線９１に対して山折線９２と対称的な所に位置する線で、一点鎖線９２で山折りした生地の稜線を一点鎖線９３上に重ねることにより、図３（ｂ）において図面符号９’で示すようにつまむことができる。そして、この場合のつまみ分量９は、図３（ａ）においてＶ、Ｗ、Ｘより内側への点線で示す量である。
【００１３】
また、図３（ａ）において、一点鎖線１０１は谷折線、一点鎖線１０２は山折線、一点鎖線１０３は前記谷折線１０１に対して山折線１０２と対称的な所に位置する線で、一点鎖線１０２で山折りした生地の稜線を一点鎖線１０３上に重ねることにより、図３（ｂ）において図面符号１０’で示すようにつまむことができる。そして、この場合のつまみ分量１０は、図３（ａ）においてｖ、ｗ、ｘより内側への点線で示す量である。
なお、ここでは、芯地１Ｌ，１Ｒを左右方向につまむためのつまみ分量を作り出すための手法を３通り示したが、これらの場合のみに限定されるものではない。要するに、所定の位置において芯地１Ｌ，１Ｒを左右方向につまむことができるように芯地を適宜切り込むことにより、つまみ分量を作り出すことができればよい。
【００１４】
左側用と右側用のそれぞれの芯地１Ｌ，１Ｒをこのようにつまんで、上着Ｊの前身頃である肩の一部分Ａから後身頃である肩部Ｂより背中Ｃに至る部分全面にわたって縫着することにより、上着Ｊの前身頃側において前記ａ付近の表生地を前記つまみ分量５，８，１０だけ浮かすことができるとともに、後身頃側の肩部Ｂより背中Ｃに至る表生地が前記つまみ分量６，７，９だけ後身頃に余裕を生じ、肩先への引っ張りが緩和されるので、図４、図５の矢印で示すように表生地が肩の前部の方に移動せしめられることになる。従って、着用時背中の形にぴったりとフィットし、従来の場合のようにその部分が引っ張られることのない上着とすることができる。
【００１５】
これらの芯地１Ｌ，１Ｒを上着Ｊの前身頃である肩の一部分Ａから後身頃である肩部Ｂより背中Ｃに至る部分にわたって配置し、図１（ｂ）において図面符号５’，６’で示す部分をつまみ分量５，６だけ、図２（ｂ）において図面符号７’，８’で示す部分をつまみ分量７，８だけ、あるいは、図３（ｂ）において図面符号９’，１０’で示す部分をつまみ分量９，１０だけ左右方向にそれぞれつまんで縫着することにより、図４、図５に示すような上着Ｊを縫製することができる。これらの芯地１Ｌ，１Ｒの襟グリ側２，２は上着Ｊの襟ミツＤのそれぞれの側に、また、袖グリ側３は上着ＪのアームホールＥのそれぞれの側に、さらに、肩線４部分は上着Ｊの肩線Ｆのそれぞれの側に合わせていずれも縫い付けられる。
この上着Ｊを着用した場合には、前身頃側において前記ａ付近の表生地を前記つまみ分量５，８あるいは１０だけ浮かすことができるとともに、後身頃側の肩部Ｂより背中Ｃに至る表生地が前記つまみ分量６，７あるいは９だけ後身頃に余裕を生じ、肩先への引っ張りが緩和されるので、図４、図５の矢印で示すように表生地が肩の前部の方に移動せしめられることになる。従って、着用時背中の形にぴったりとフィットし、従来の場合のようにその部分が引っ張られることがない。
【００１６】
このように、本考案の上着用作り芯地を用いた場合には、後身頃である肩背側を背中の形にぴったり合わせることができるから、上着Ｊの前身頃の芯地には切り込み等のマニプレーションをする必要がなく、また、表生地のくせ取りも不要である。さらに、ここで用いられる芯地の襟グリ側２は上着Ｊの襟ミツＤに縫い付けられるから、襟元もしっかりするとともに、襟ミツＤが伸びるのを防止することができる。
【００１７】
なお、ここで用いられる左肩用と右肩用のそれぞれの芯地１Ｌ，１Ｒは、少なくとも、上着Ｊの前身頃である肩の一部分Ａから後身頃である肩部Ｂより背中Ｃに至る部分全面にわたって縫着し得るような大きさとしてあるが、これを前身頃のボトム近くまで長く延ばしてもよいし、従来前身頃に入れられている芯地と肩の部分で重ねて使用してもよい。
【００１８】
【考案の効果】
請求項１記載の上着用作り芯地を用いた場合には、上着Ｊの前身頃側においてその前面肩甲骨が位置する付近ａ付近の表生地をつまみ分量だけ浮かすことができるとともに、上着Ｊの後身頃側の肩部Ｂより背中Ｃに至る表生地がつまみ分量だけ後身頃に余裕を生じ、肩先への引っ張りが緩和されるので、表生地が肩の前部の方に移動せしめられることになり、着用時背中の形にぴったりとフィットし、従来の場合のようにその部分が引っ張られることのない上着とすることができるという効果がある。
【００１９】
請求項２記載の上着Ｊを着用した場合には、前身頃側においてその前面肩甲骨が位置する付近ａの表生地をつまみ分量だけ浮かすことができるとともに、後身頃側の肩部Ｂより背中Ｃに至る表生地がつまみ分量だけ後身頃に余裕を生じ、肩先への引っ張りが緩和されるので、表生地が肩の前部の方に移動せしめられることになる。従って、着用時背中の形にぴったりとフィットし、従来の場合のようにその部分が引っ張られることがないという効果がある。
【図面の簡単な説明】
【図１】本考案による上着用作り芯地の一例を示す平面図で、（ａ）は左側用と右側用のそれぞれの芯地を展開した状態の平面図、（ｂ）は左側用と右側用のそれぞれの芯地をつまみ分量だけそれぞれつまんだ状態の平面図である。
【図２】本考案による上着用作り芯地の別の例を示す平面図で、（ａ）は左側用と右側用のそれぞれの芯地を展開した状態の平面図、（ｂ）は左側用と右側用のそれぞれの芯地をつまみ分量だけそれぞれつまんだ状態の平面図である。
【図３】本考案による上着用作り芯地のさらに別の例を示す平面図で、（ａ）は左側用と右側用のそれぞれの芯地を展開した状態の平面図、（ｂ）は左側用と右側用のそれぞれの芯地をつまみ分量だけそれぞれつまんだ状態の平面図である。
【図４】本考案による上着用作り芯地の左側用のものと右側用のものとをそれぞれ上着の左半身と右半身に縫着した状態を示す概略正面図である。
【図５】本考案による上着用作り芯地の左側用のものと右側用のものとをそれぞれ所定の位置に縫着した上着の主要部を示す概略平面図である。
【図６】従来の上着の欠点を示す平面図である。
【符号の説明】
１Ｌ，１Ｒ…芯地、２…襟グリ側、３…袖グリ側、４…肩線、５，６，７，８、９，１０…つまみ分量、５’，６’…つまんだ部分、Ａ…前身頃である肩の一部分、Ｂ…後身頃である肩部、Ｃ…背中、ａ…前面肩甲骨が位置する付近、ｂ…肩部より背面肩甲骨が位置する付近、Ｄ…襟ミツ、Ｅ…アームホール、Ｆ…肩線、Ｊ…上着。
【図１】
0003097041.tif 000003
【図２】
0003097041.tif 000004
【図３】
0003097041.tif 000005
【図４】
0003097041.tif 000006
【図５】
0003097041.tif 000007
【図６】
0003097041.tif 000008
【手続補正書】
【提出日】平成15年5月13日(2003.5.13)
【手続補正１】
【補正対象書類名】図面
【補正対象項目名】図２
【補正方法】変更
【補正の内容】
【図２】
0003097041.tif 000009
【手続補正２】
【補正対象書類名】図面
【補正対象項目名】図３
【補正方法】変更
【補正の内容】
【図３】
0003097041.tif 000010